(57)【特許請求の範囲】
【請求項１】
ホールソー及びドリルビットと共に使用するためのマンドレルアセンブリにおいて、シャンク部分とアダプタ収容部とを有する本体が設けられており、前記アダプタ収容部が、アダプタ収容キャビティを規定しておりかつ第１の壁部を有しており、該第１の壁部が、該第１の壁部を貫通した第１のもどり止孔を有しており、
前記本体に固定されたビット連結器が設けられており、該ビット連結器が、前記アダプタ収容キャビティ内に配置されておりかつドリルビット収容部を規定しており、該ドリルビット収容部が、ビット収容キャビティと第２の壁部とを有しており、該第２の壁部が、該第２の壁部を貫通した第２のもどり止孔を有しており、
前記アダプタ収容キャビティに収容されるように構成されたアダプタが設けられており、該アダプタが、前記ホールソーの雌ねじ山のセットと噛み合い係合するように構成された雄ねじ山部を有しており、前記アダプタがさらに、該アダプタの外面に規定された第１のもどり止溝を有しており、
第１のボールが設けられており、該第１のボールが、前記本体の第１のもどり止孔内に配置されており、かつ前記アダプタの第１のもどり止溝に収容されるように構成されており、
第２のボールが設けられており、該第２のボールが、前記ビット連結器の前記第２のもどり止孔内に収容されておりかつ前記ドリルビットの第２のもどり止溝に収容されるように構成されていることを特徴とする、ホールソー及びドリルビットと共に使用するためのマンドレルアセンブリ。
【請求項２】
前記本体の周囲に位置決めされたカラーアセンブリが設けられており、該カラーアセンブリが、第１の位置と第２の位置との間を可動であり、
前記本体及び前記カラーアセンブリと接触して位置決めされたばねが設けられており、該ばねが、前記カラーアセンブリを前記第１の位置へ押し付けている、請求項１記載のマンドレルアセンブリ。
【請求項３】
前記カラーアセンブリが、（ｉ）貫通したカラー通路を有するカラーと、（ｉｉ）前記カラーに装着されかつ前記カラー通路内に位置決めされたスリーブとを有しており、
前記本体が前記カラー通路内に配置されている場合に前記本体と前記カラーとの間にばね空間が規定され、
前記ばねが前記ばね空間内に配置されている、請求項２記載のマンドレルアセンブリ。
【請求項４】
前記本体の前記アダプタ収容部の前記第１の壁部が、外部肩部を有しており、前記ばねが、前記外部肩部と前記カラーアセンブリの前記スリーブとの間に保持されている、請求項３記載のマンドレルアセンブリ。
【請求項５】
前記本体の前記シャンク部に凹所が規定されており、前記ビット連結器がさらにステム部を有しており、該ステム部が前記凹所に配置されている、請求項１記載のマンドレルアセンブリ。
【請求項６】
前記アダプタがアダプタ通路を規定しており、前記ビット連結器の前記ドリルビット収容部が、前記アダプタ通路内に配置されている、請求項１記載のマンドレルアセンブリ。
【請求項７】
前記アダプタ収容キャビティ内に位置決めされたプラットフォーム部材が設けられており、該プラットフォーム部材が、前記アダプタと前記本体との間に介在させられており、前記プラットフォーム部材と前記本体との間に介在させられたばねが設けられている、請求項１記載のマンドレルアセンブリ。
【請求項８】
前記本体に規定された開口内に位置決めされた駆動ピンが設けられており、該駆動ピンが、前記ホールソーに規定された開口内に収容されるように構成されている、請求項１記載のマンドレルアセンブリ。
【請求項９】
切削アセンブリにおいて、
雌ねじ山のセットを有するホールソーと、
シャンク部分とアダプタ収容部とを有する本体とが設けられており、前記アダプタ収容部が、アダプタ収容キャビティを規定しておりかつ第１の壁部を有しており、該第１の壁部が、該第１の壁部を貫通した第１のもどり止孔を有しており、
前記アダプタ収容キャビティ内に配置されかつドリルビット収容部を規定したビット連結器が設けられており、前記ドリルビット収容部が、ビット収容キャビティと、第２のもどり止孔が貫通した第２の壁部とを有しており、
前記アダプタ収容キャビティに収容されるように構成されたアダプタが設けられており、該アダプタが、前記ホールソーの雌ねじ山と係合する雄ねじ山を有しており、前記アダプタがさらに、該アダプタに規定された第１のもどり止溝を有しており、
前記本体の前記第１のもどり止孔内に配置されておりかつ前記アダプタの前記第１のもどり止溝に収容されるように構成された第１のボールと、
前記ビット連結器の前記ドリルビット収容部に収容されるように構成されたドリルビットとが設けられており、該ドリルビットが、該ドリルビットに規定された第２のもどり止溝を有しており、
前記ビット連結器の前記第２のもどり止孔内に配置されかつ前記ドリルビットの前記第２のもどり止溝に収容されるように構成された第２のボールが設けられていることを特徴とする、切削アセンブリ。
【請求項１０】
ホールソー及びドリルビットと共に使用するためのマンドレルアセンブリにおいて、
本体が設けられており、該本体が、（ｉ）ドリルのチャックに収容されるように構成されたシャンク部と、（ｉｉ）アダプタ収容部とを有しており、該アダプタ収容部が、該アダプタ収容部の壁部を貫通したもどり止孔を有しておりかつアダプタ収容キャビティを規定しており、
前記本体に固定されたビット連結器が設けられており、前記ビット連結器が、前記アダプタ収容キャビティ内に配置されておりかつドリルビット収容部を規定しており、
前記アダプタ収容キャビティに収容されるように構成されたアダプタが設けられており、該アダプタが、前記ホールソーの第２の連結部と協働するように構成された第１の連結部を有しており、前記アダプタにはもどり止溝が規定されており、
もどり止部材が設けられており、該もどり止部材が、前記本体の前記もどり止孔内に配置されておりかつ前記アダプタの前記もどり止溝に収容されるように構成されていることを特徴とする、ホールソー及びドリルビットと共に使用するためのマンドレルアセンブリ。
【請求項１１】
前記本体の周囲に位置決めされたカラーアセンブリが設けられており、該カラーアセンブリが、第１の位置と第２の位置との間で可動であり、
前記本体及び前記カラーアセンブリと接触して位置決めされたばねが設けられており、該ばねが、前記カラーアセンブリを前記第１の位置へ押圧している、請求項１０記載のマンドレルアセンブリ。
【請求項１２】
前記カラーアセンブリが、（ｉ）貫通したカラー通路を有するカラーと、（ｉｉ）該カラーに装着されかつ前記カラー通路内に位置決めされたスリーブとを有しており、
前記本体が前記カラー通路内に配置された場合に前記本体と前記カラーとの間にばね空間が規定されるようになっており、
前記ばねが、前記ばね空間内に配置されている、請求項１１記載のマンドレルアセンブリ。
【請求項１３】
前記本体の前記アダプタ収容部の前記第１の壁部が、外部肩部を有しており、
前記ばねが、前記外部肩部と、前記カラーアセンブリの前記スリーブとの間に保持されている、請求項１２記載のマンドレルアセンブリ。
【請求項１４】
前記本体のシャンク部に、凹所が規定されており、前記ビット連結器がさらに、ステム部を有しており、該ステム部が、前記凹所に配置されている、請求項１０記載のマンドレルアセンブリ。
【請求項１５】
前記アダプタが、アダプタ通路を規定しており、前記ビット連結器のドリルビット収容部が、前記アダプタ通路内に配置されている、請求項１０記載のマンドレルアセンブリ。
【請求項１６】
前記アダプタ収容キャビティ内に位置決めされたプラットフォーム部材が設けられており、該プラットフォーム部材が、前記アダプタと前記本体との間に介在させられており、
前記プラットフォーム部材と前記本体との間に介在させられたばねが設けられている、請求項１０記載のマンドレルアセンブリ。
【請求項１７】
前記本体に規定された開口内に位置決めされた駆動ピンが設けられており、該駆動ピンが、前記ホールソーに規定された開口内に収容されるように構成されている、請求項１０記載のマンドレルアセンブリ。
【請求項１８】
前記もどり止部材が、ボールである、請求項１０記載のマンドレルアセンブリ。
【請求項１９】
前記アダプタの前記第１の連結部が、雄ねじ山部を有しており、
前記ホールソーの前記第２の連結部が、雌ねじ山のセットを有しており、
前記雄ねじ山部が、前記ホールソーを前記アダプタに固定するために前記雌ねじ山のセットと協働するように構成されている、請求項１０記載のマンドレルアセンブリ。
【請求項２０】
前記第１のボールが前記アダプタの前記第１のもどり止溝に収容されている時に、前記アダプタが前記本体の前記アダプタ収容キャビティ内にロックされる、請求項１記載のマンドレルアセンブリ。
【請求項２１】
前記アダプタが前記本体の前記アダプタ収容キャビティ内にロックされている時に、前記アダプタが、前記本体と前記ビット連結器との間に配置されている、請求項２０記載のマンドレルアセンブリ。
【発明の詳細な説明】
【０００１】
【発明の属する技術分野】
本発明は、概して、ホールソー及びパイロットドリルビットを電気ドリルに取り付けるためのマンドレルアセンブリに関する。
【０００２】
【従来の技術】
ホールソー及びパイロットドリルビットを電気ドリルに取り付けるための多くのマンドレルアセンブリがこれまで設計された。しかしながら、これらの既存のマンドレルアセンブリのうちの一部は、オペレータによって使用することがいくらか困難である傾向がある。例えば、このようなマンドレルアセンブリに対するドリルビット及びホールソーの装着及び解放は、オペレータによって行うことが困難である傾向がある。さらに、これらのマンドレルアセンブリのうちの他のものは、構造が複雑であり、ひいては製造コストを増大させる。
【０００３】
したがって、必要とされていることは、従来設計されたマンドレルアセンブリの１つ以上の欠点を解消するような、ホールソー及びパイロットドリルビットを電気ドリルに装着するためのマンドレルアセンブリである。
【０００４】
【発明が解決しようとする課題】
したがって、本発明の目的は、新たな役立つマンドレルアセンブリを提供することである。
【０００５】
本発明の別の目的は、改良されたマンドレルアセンブリを提供することである。
【０００６】
本発明のさらに別の目的は、ドリルビット及びホールソーの迅速な装着及び解放を容易にするマンドレルアセンブリを提供することである。
【０００７】
本発明のさらに別の目的は、構造が比較的単純なマンドレルアセンブリを提供することである。
【０００８】
本発明のその他の目的及び利益は、以下の説明及び添付の図面から識別されることができる。
【０００９】
【課題を解決するための手段】
本発明の１つの実施例によれば、ホールソー及びドリルビットと共に使用するためのマンドレルアセンブリが提供される。マンドレルアセンブリは、シャンク部と、アダプタ収容部とを有する本体を有している。アダプタ収容部は、アダプタ収容キャビティを規定しかつ第１の壁部を有しており、この第１の壁部は、この壁部を貫通した第１のもどり止孔を有している。さらに、マンドレルアセンブリは、本体に固定されたビット連結器を有している。ビット連結器は、アダプタ収容キャビティ内に配置されており、ドリルビット収容部を規定している。ドリルビット収容部は、ビット収容キャビティと第２の壁部とを有しており、この第２の壁部は、この壁部を貫通した第２のもどり止孔を有している。マンドレルアセンブリは、アダプタ収容キャビティ内に収容されるように構成されたアダプタをも有している。アダプタは、ホールソーの雌ねじ山のセットと噛み合い係合するように構成された雄ねじ山部を有しており、アダプタは、さらに、外面に規定された第１のもどり止溝を有している。さらに、マンドレルアセンブリは、本体の第１のもどり止孔内に配置された第１のボールを有しており、かつアダプタの第１のもどり止溝に収容されるように構成されている。さらに、マンドレルアセンブリは、ビット連結器の第２のもどり止孔内に配置された第２のボールを有しており、かつドリルビットの第２のもどり止溝に収容されるように構成されている。
【００１０】
本発明の別の実施例によれば、切削アセンブリが設けられている。切削アセンブリは、雌ねじの１つのセットを有するホールソーを有している。さらに、切削アセンブリは、シャンク部と、アダプタ収容部とを有する本体を有しており、アダプタ収容部は、アダプタ収容キャビティを規定しておりかつ第１の壁部を有しており、この第１の壁部は、この壁部を貫通した第１のもどり止孔を有している。切削アセンブリは、付加的に、アダプタ収容キャビティ内に配置されかつドリルビット収容部を規定したビット連結器を有しており、ドリルビット収容部は、ビット収容キャビティと第２の壁部とを有し、この第２の壁部は、この壁部を貫通した第２のもどり止孔を有している。さらに、切削アセンブリは、アダプタ収容キャビティに収容されるように構成されたアダプタを有しており、アダプタは、ホールソーの雌ねじ山と係合する雄ねじ山を有しており、アダプタはさらに、このアダプタに規定された第１のもどり止溝を有している。切削アセンブリはさらに、本体の第１のもどり止孔内に配置されかつアダプタの第１のもどり止溝に収容されるように構成された第１のボールを有している。また、切削アセンブリは、ビット連結器のドリルビット収容部に収容されるように構成されたドリルビットを有しており、ドリルビットは、このドリルビットには第２のもどり止溝が規定されている。切削アセンブリはさらにビット連結器の第２のもどり止孔内に配置されかつドリルビットの第２のもどり止溝に収容されるように構成された第２のボールを有している。
【００１１】
本発明のさらに別の実施例によれば、ホールソー及びドリルビットと共に使用するためのマンドレルアセンブリが提供される。マンドレルアセンブリは、本体を有しており、この本体は、ｉ）ドリルのチャックに収容されるように構成されたシャンク部と、ｉｉ）アダプタ収容部とを有しており、このアダプタ収容部は、アダプタ収容部の壁部を貫通したもどり止孔を有しており、さらに、アダプタ収容キャビティを規定している。マンドレルアセンブリはさらに、本体に固定されたビット連結器を有しており、ビット連結器は、アダプタ収容キャビティ内に配置されておりかつドリルビット収容部を規定している。マンドレルアセンブリはさらに、アダプタ収容キャビティに収容されるように構成されたアダプタを有しており、アダプタは、ホールソーの第２の連結部と協働するように構成された第１の連結部を有しており、アダプタにはさらにもどり止溝が規定されている。また、マンドレルアセンブリは、本体のもどり止孔内に配置されかつアダプタのもどり止溝に収容されるように構成されたもどり止部材を有している。
【００１２】
【発明の実施の形態】
本発明には様々な修正及び択一的な形式が提供されるが、本発明の特定の実施例は、図面に例として示されており、以下に詳細に説明される。しかしながら、本発明を開示された特定の形式に限定しようとするのではなく、対照的に、本発明は、添付の請求項によって定義されたような本発明の思想及び範囲に該当する全ての修正、均等物及び択一例をカバーする。
【００１３】
第１実施例
図１及び図２を参照すると、マンドレルアセンブリ１０の第１実施例が示されており、マンドレルアセンブリ１０は、ホールソー１２及びパイロットドリルビット１４を電気ドリル（図示せず）に装着する。マンドレルアセンブリ１０は、２つの主要な構成部材、すなわちベース機構１６とアダプタ１８とを有している。
【００１４】
図３〜図７に示したように、ベース機構は、六角形のシャンク２２を有する本体２０を有しており、シャンク２２は、電気ドリル（図示せず）のチャックに収容されるように構成されている。本体２０は、キャビティ２６を規定した円筒状部分２４を有している。本体２０は、円筒状部分２４から外方へ延びた肩部２８を有するように形成されている。円筒状部分２４は、図３に示されたようにボール３２を収容するための開口３０を規定している。
【００１５】
ベース機構１６はさらに、本体２０に対して可動なカラー３４を有している。カラー３４は、図３に示したように本体２０の円筒状部分２４の周囲に位置決めされている。カラー３４は、図９に示したようにカラーを貫通した通路３６を規定している。環状スリーブ３８は、カラー３４に装着されており、通路３６内に位置決めされている。
【００１６】
さらに、ベース機構１６は、リング状のプラットフォーム４０を有しており、このプラットフォーム４０には孔４２が規定されている（図１２及び図１３参照）。プラットフォーム４０は、図３に示したように、本体２０のキャビティ２６に配置されている。ばね４４は、プラットフォーム４０と本体２０のレッジ４６との間に介在している。ばね４４は、プラットフォーム４０を矢印４８の方向に押し付けるように機能する。
【００１７】
ベース機構１６は、図３に示したようにキャビティ２６内に位置決めされたビット連結器５０をも有している（図１８〜図２１も参照）。ビット連結器５０は、ステム部分５２を有しており、このステム部分５２は、六角形のシャンク２２内に規定された凹所５４に収容される。ビット連結器５０には、図３に示したようにボール５８を収容するための開口５６が規定されている。ビット連結器５０はさらに、ドリルビット１４の六角形の端部６２を収容するためのキャビティ６０を有している。ビット連結器５０はさらに、ビット連結器５０の外面に規定された外部凹所６４を有している。保持帯６６は、図３に示されているように外部凹所内に位置決めされている（図１４〜図１７も参照）。保持帯６６には孔６８が規定されており、この孔６８は、図３に示されているようにボール５８を部分的に収容する。
【００１８】
ベース機構１６が組み立てられた場合、カラー３４と本体２０との間にばね空間７０が規定される。ばね７２は、ばね空間７０内に位置決めされ、肩部２８及び環状スリーブ３８と接触することによりばね空間内に収容される。ばね７２は、カラー３４を矢印４８の方向に押し付けるように機能する。本体２０に対するカラー３４の移動は、カラー３４の内部リップ７４が本体２０の肩部２８に接触することにより制限される。
【００１９】
図３は、ベース機構１６に連結されたアダプタ１８を示している。アダプタ１８は、このアダプタを貫通した通路７６を有している（図２３及び図２４参照）。雄ねじ山７８のセットが、アダプタ１８の一方の端部に設けられている（図３、図２２及び図２３参照）。雄ねじ山７８は、ホールソー１２をマンドレルアセンブリ１０に装着するために、ホールソー１２の開口８２に規定された雌ねじ山のセット８０と協働するように構成されている（図２５参照）。アダプタ１８の外面は、六角形を有しているのに対し、本体２０の内面によって規定されたキャビティ２６は、相補的な六角形を有している。その結果、本体２０の回転は、回転力をアダプタ１８へ伝達させる。アダプタ１８の回転自体は、ホールソー１２を回転させる。
【００２０】
ドリルビット１４は、ビット連結器５０とボール５８との協働によりアダプタ１８の通路７６に保持されている。特に、ドリルビット１４の六角形の端部６２に規定された溝は、図３に示したようにドリルビット１４をアダプタ１８に（結果的にマンドレルアセンブリ１０に）ロックするためにボール５８を収容する。
【００２１】
アダプタ１８は、アダプタの側壁８８に規定された溝８６を有している。アダプタ１８は、溝８６とボール３２との協働により本体２０のキャビティ２６に保持されている。特に、溝８６は、図３に示したようにアダプタ１８をマンドレルアセンブリ１０にロックするためにボール３２を収容する。
【００２２】
マンドレルアセンブリ１０の使用中、六角形のシャンク２２が電気ドリル（図示せず）のチャックに固定されることが図１から認められるべきである。さらに、ドリルビット１４及びホールソー１２は、前記のようにマンドレルアセンブリ１０に装着される。
【００２３】
第２実施例
図２８及び図２９を参照すると、マンドレルアセンブリ１１０の第２実施例が示されており、マンドレルアセンブリは、ホールソー１２及びパイロットドリルビット１４を電気ドリル（図示せず）に装着する。マンドレルアセンブリ１１０は、２つの主要な構成部材、すなわちベース機構１１６とアダプタ１１８をも有している。
【００２４】
図２８〜図３２に示したように、ベース機構１１６は、六角形のシャンク１２２を有する本体１２０を有しており、シャンク１２２は、電気ドリル（図示せず）のチャックに収容されるように構成されている。本体１２０は、キャビティ１２６を規定したほぼ円筒状の部分１２４を有している。本体１２０は、円筒状部分１２４から外方へ延びた肩部１２８を有している。円筒状部分１２４には、図２８に示したようにボール１３２を収容するための開口１３０が規定されている。
【００２５】
ベース機構１１６はさらに、本体１２０に対して可動なカラー１３４を有している（図２８及び図３３〜図３４参照）。カラー１３４は、図２８に示したように本体１２０の円筒状部分の周囲に位置決めされている。カラー１３４は、このカラーを貫通した通路１３６を規定している。環状スリーブ１３８が、カラー１３４に装着されており、通路１３６内に位置決めされている。
【００２６】
さらに、ベース機構１１６は、リング状のプラットフォーム１４０を有しており、このプラットフォームには孔１４２が規定されている（図１２及び図１３参照）。プラットフォーム１４０は、図２９に示したように本体１２０のキャビティ１２６に配置されている。ばね１４４が、プラットフォーム１４０と、本体１２０のレッジ１４６との間に介在している。ばね１４４は、プラットフォーム１４０を矢印１４８の方向に押し付けるように機能する。
【００２７】
ベース機構１１６は、図２８に示したようにキャビティ１２６内に位置決めされたビット連結器１５０をも有している（図１８〜図２１も参照）。ビット連結器はステム部分１５２を有しており、このステム部分は、六角形のシャンク１２２内に規定された凹所１５４に収容されている。ビット連結器１５０には、図２８に示したようにボール１５８を収容するための開口１５６が規定されている。ビット連結器１５０はさらに、ドリルビット１４の六角形の端部を収容するためのキャビティ１６０を有している。ビット連結器１５０はさらに、ビット連結器１５０の外面に規定された外部凹所１６４を有している。保持帯１６６が、図２８に示したように外部凹所内に位置決めされている（図１４〜図１７も参照）。保持帯１６６には、孔１６８が規定されており、この孔１６８は、図２８に示したようにボール１５８を部分的に収容する。
【００２８】
ベース機構１１６が組み立てられた場合、カラー１３４と本体１２０との間にばね空間１７０が規定される。ばね１７２は、ばね空間１７０に位置決めされ、肩部１２８及び環状スリーブ１３８とに接触することによってばね空間内に収容される。ばね１７２は、カラー１３４を矢印１４８の方向に押し付けるように機能する。本体１２０に対するカラー１３４の移動は、カラー１３４の内部リップ１７４が本体１２０の肩部１２８に接触することによって制限される。
【００２９】
図２８は、ベース機構１１６に連結されたアダプタ１１８を示している。アダプタ１１８は、このアダプタを貫通した通路１７６を有している（図２２及び図２３参照）。アダプタ１１８の一方の端部には、雄ねじ山１７８のセットが設けられている（図２８、図２２及び図２３参照）。雄ねじ山１７８は、ホールソー１２をマンドレルアセンブリ１１０に装着するために、ホールソー１２の開口８２に規定された雌ねじ山のセット８０と協働するように構成されている（図２５参照）。アダプタ１１８の外面は、六角形を有しているのに対し、本体１２０の内面によって規定されたキャビティは、図３０及び図３１に示したように円筒形を有している。
【００３０】
ドリルビット１４は、ビット連結器１５０とボール１５８との協働によりアダプタ１１８の通路１７６に保持されている。特に、ドリルビット１４の六角形の端部１６２に規定された溝１８４は、図２８に示したようにドリルビット１４をアダプタ１１８に（結果的にマンドレルアセンブリ１１０に）ロックするためにボール１５８を収容する。
【００３１】
アダプタ１１８の側壁１８８には溝１８６が規定されている。アダプタ１１８は、溝１８６とボール１３２との協働により本体１２０のキャビティ１２６に保持されている。特に、溝１８６は、図２８に示したようにアダプタ１１８をマンドレルアセンブリ１１０にロックするためにボール１３２を収容する。
【００３２】
マンドレルアセンブリ１１０はさらに、図２８に示したように本体１２０に規定された１対の開口１９２内にそれぞれ固定された１対のピン１９０を有している。ホールソー１２をマンドレルアセンブリ１１０に装着するために、まず、アダプタ１１８が、アダプタ１１８がホールソー１２に固定されるまでアダプタ１１０の雄ねじ山をホールソーの雌ねじ山８０に噛み合い係合させることによって、ホールソー１２に連結される。次いで、ホールソー１２が装着されたアダプタ１１８は、本体１２０のキャビティ１２６内へ前進させられる。同時に、カラー１３４は、矢印１９６の方向にばね１７２のばね付勢に抗して押し付けられ、これにより、アダプタがプラットフォーム１４０に対して押し付けられながらボール１３２を押し出す。溝１８６がボール１３２と整合させられると、ユーザはカラー１３４を解放し、これにより、ばね１７２の押圧力によってカラー１３４を矢印１４８の方向へ移動させる。ホールソー１２が装着されたアダプタが本体１２０のキャビティ１２６内へ前進させられると、１対のピン１９０が、ホールソーに規定された１対の開口８１内にそれぞれ位置決めされる（図２５参照）。その結果、本体１２０の回転は、回転力を１対のピン１９０へ伝達させる。１対のピン１９０の回転自体はホールソー１２を回転させる。
【００３３】
マンドレルアセンブリ１１０の使用中、六角形のシャンク１２２は、電気ドリル（図示せず）のチャックに固定される。さらに、ドリルビット１４及びホールソー１２は、前記のようにマンドレルアセンブリに装着される。
【００３４】
両実施例において、アダプタ１８，１１８が本体２０，１２０のキャビティ２６，１２６に位置決めされていない場合のみドリルビット１４はビット連結器５０，１５０から取り外されてよいことが認められるべきである。アダプタ１８，１１８がキャビティ２６，１２６内に位置決めされると、ドリルビット１４は所定の位置にロックされる。なぜならば、アダプタ１８，１１８の内壁が、ドリルビット１４の溝８４，１８４によって規定された面からボール５８，１５８が解離することを妨げるからである。
【００３５】
本発明は、図面及び前の説明において詳細に図示及び説明されているが、本発明は、例示的であり、特徴において制限的でないと考えられ、有利な実施例のみが図示及び説明されており、本発明の思想に当てはまる全ての変更及び修正が細されることが望まれる。
【００３６】
本願に記載されたマンドレルアセンブリの様々な特徴から、本発明の複数の利点が生じる。本発明のマンドレルアセンブリの択一的な実施例は、記載された全ての特徴を含んでいないが、このような特徴の利点のうちの少なくとも幾つかからの利益を含む。当業者は、本発明の１つ又は２つ以上の特徴を有しかつ添付の請求項によって定義された本発明の思想及び範囲に当てはまるマンドレルアセンブリの自己の実施を容易に考案してよい。
【図面の簡単な説明】
【図１】本発明の特徴を有するマンドレルアセンブリの第１実施例を示す側面図である。
【図２】図１のマンドレルアセンブリの分解側面図である。
【図３】図１のマンドレルアセンブリを示す縦断面図である。
【図４】図１のマンドレルアセンブリの本体を示す斜視図である。
【図５】図４の本体を示す側面図である。
【図６】図４の本体を示す縦断面図である。
【図７】図４の本体を示す正面図である。
【図８】図１のマンドレルアセンブリのカラーを示す側面図である。
【図９】図８のカラーを示す縦断面図である。
【図１０】図１のマンドレルアセンブリの環状スリーブを示す正面図である。
【図１１】図１０の環状スリーブを示す側面図である。
【図１２】図１及び図２８のマンドレルアセンブリのリング状のプラットフォームを示す正面図である。
【図１３】図１２のリング状のプラットフォームを示す縦断面図である。
【図１４】図１及び図２８のマンドレルアセンブリの保持帯を示す正面図である。
【図１５】図１４の保持帯を示す第１の側面図である。
【図１６】図１４の保持帯を示す斜視図である。
【図１７】図１４の保持帯を示す第２の側面図である。
【図１８】図１及び図２８のマンドレルアセンブリのビット連結器を示す縦断面図である。
【図１９】図１８のビット連結器を示す斜視図である。
【図２０】図１８のビット連結器を示す側面図である。
【図２１】図１８のビット連結器を示す正面図である。
【図２２】図１及び図２８のマンドレルアセンブリのアダプタを示す正面図である。
【図２３】図２２のアダプタを示す縦断面図である。
【図２４】図２２のアダプタを示す後面図である。
【図２５】図１及び図２８のマンドレルアセンブリと共に使用可能であるホールソーを示す斜視図である。
【図２６】図１及び図２８のマンドレルアセンブリと共に使用可能であるドリルビットを示す側面図である。
【図２７】図２６のパイロットドリルビットを示す端面図である。
【図２８】本発明の特徴を有するマンドレルアセンブリの第２実施例を示す縦断面図である。
【図２９】図２８のマンドレルアセンブリを示す斜視図である。
【図３０】図２８のマンドレルアセンブリの本体を示す縦断面図である。
【図３１】図３０の本体を示す正面図である。
【図３２】図３０の本体を示す側面図である。
【図３３】図２８のマンドレルアセンブリのカラーを示す側面図である。
【図３４】図３３のカラーを示す縦断面図である。
【図３５】図２８のマンドレルアセンブリの環状スリーブを示す正面図である。
【図３６】図３５の環状スリーブを示す側面図である。
【符号の説明】
１０，１１０  マンドレルアセンブリ、  １２  ホールソー、  １４  パイロットドリルビット、  １６，１１６  ベース機構、  １８，１１８  アダプタ、２０，１２０  本体、  ２２，１２２  シャンク、  ２４，１２４  円筒状部分、  ２６，１２６  キャビティ、  ２８，１２８  肩部、  ３０，１３０  開口、  ３２，１３２  ボール、  ３４，１３４  カラー、  ３６，１３６  通路、  ３８，１３８  環状スリーブ、  ４０，１４０  プラットフォーム、  ４２，１４２  孔、  ４４，１４４  ばね、  ４６，１４６  レッジ、  ４８，１４８  矢印、  ５０，１５０  ビット連結器、  ５２，１５２  ステム部分、  ５４，１５４  凹所、  ５６，１５６  開口、  ５８，１５８  ボール、  ６０，１６０  キャビティ、  ６２  端部、  ６４  外部凹所、  ６６，１６６  保持帯、  ６８，１６８  孔、  ７０，１７０  ばね空間、  ７２，１７２  ばね、１７４  内部リップ、  ７６，１７６  通路、  ７８，１７８  雄ねじ山、  ８０  雌ねじ山のセット、  ８２  開口、  １８４  溝、  ８６，１８６  溝、８８  側壁、  １９０  ピン、  １９６  矢印
【図１】
0004988105.tif 000002
【図２】
0004988105.tif 000003
【図３】
0004988105.tif 000004
【図４】
0004988105.tif 000005
【図５】
0004988105.tif 000006
【図６】
0004988105.tif 000007
【図７】
0004988105.tif 000008
【図８】
0004988105.tif 000009
【図９】
0004988105.tif 000010
【図１０】
0004988105.tif 000011
【図１１】
0004988105.tif 000012
【図１２】
0004988105.tif 000013
【図１３】
0004988105.tif 000014
【図１４】
0004988105.tif 000015
【図１５】
0004988105.tif 000016
【図１６】
0004988105.tif 000017
【図１７】
0004988105.tif 000018
【図１８】
0004988105.tif 000019
【図１９】
0004988105.tif 000020
【図２０】
0004988105.tif 000021
【図２１】
0004988105.tif 000022
【図２２】
0004988105.tif 000023
【図２３】
0004988105.tif 000024
【図２４】
0004988105.tif 000025
【図２５】
0004988105.tif 000026
【図２６】
0004988105.tif 000027
【図２７】
0004988105.tif 000028
【図２８】
0004988105.tif 000029
【図２９】
0004988105.tif 000030
【図３０】
0004988105.tif 000031
【図３１】
0004988105.tif 000032
【図３２】
0004988105.tif 000033
【図３３】
0004988105.tif 000034
【図３４】
0004988105.tif 000035
【図３５】
0004988105.tif 000036
【図３６】
0004988105.tif 000037